(57)【要約】【課題】固定されたＩＣタグに物品を貼付した際に、物品の引き剥がしを検知することができるＩＣタグを提供する。【解決手段】ベースフィルム５上にアンテナ７、ＩＣチップ９が設けられ、ＩＣタグ１の表面層１５には第１粘着部１７が形成される。第１粘着部１７の近傍には、スリット２５が設けられており、スリット２５は表面層１５、接着層１３、ベースフィルム５、第２粘着部２１を切断している。スリット２５は、開口部がアンテナ７を向いたコの字型をしており、コの字型の内部に第１粘着部１７を有する。第１粘着部１７に粘着した物品を剥がす際にＩＣタグ１は切断予定線３１に沿って切断され、アンテナ７が破断し、ＩＣタグ１は読み取り不能となる。【選択図】図１
2010128516.tif 000002
【特許請求の範囲】
【請求項１】
ベースフィルムと、前記ベースフィルム上に配設されたアンテナパターンと、前記アンテナパターンに接続するＩＣチップと、からなるインレットと、
前記インレットの片面に設けられた接着層と、
前記接着層を介して前記インレットを覆う表面層と、
を有するＩＣタグであって、
前記アンテナパターン外にスリットが形成されており、
前記スリット近傍の前記表面層上に物品を貼付可能な第１粘着部を有することを特徴とするＩＣタグ。
【請求項２】
前記第１粘着部は、前記アンテナパターンの一部を覆っていることを特徴とする請求項１記載のＩＣタグ。
【請求項３】
前記スリットは前記アンテナパターンに開口部を向けたコの字型であることを特徴とする請求項１または請求項２記載のＩＣタグ。
【請求項４】
前記コの字型のスリットの内部に前記第１粘着部を有することを特徴とする請求項３記載のＩＣタグ。
【請求項５】
前記第１粘着部に物品を粘着させた際に、
前記第１粘着部と前記物品との粘着力が、前記スリットの端部での前記ＩＣタグの引裂強度より強いことを特徴とする請求項１から請求項４のいずれかに記載のＩＣタグ。
【請求項６】
前記第１粘着部とは反対面に第２粘着部を有し、
前記第２粘着部を介して固定対象に粘着され、
前記第２粘着部の前記固定対象に対する粘着力が、前記スリットの端部での前記ＩＣタグの引裂強度より強いことを特徴とする請求項１から請求項５のいずれかに記載のＩＣタグ。
【請求項７】
前記第１粘着部とは反対面に第２粘着部を有し、
前記インレットに、前記第２粘着部を介して剥離紙を粘着することを特徴とする請求項１から請求項４のいずれかに記載のＩＣタグ。
【請求項８】
前記スリットが、前記表面層、前記接着層、前記ベースフィルム、前記第２粘着部を切断しており、
前記ＩＣタグを前記剥離紙より剥がす際に、全ての前記剥離紙が前記ＩＣタグより剥離することを特徴とする請求項７記載のＩＣタグ。
【請求項９】
前記スリットが、前記表面層、前記接着層、前記ベースフィルム、前記第２粘着部、前記剥離紙を切断しており、
前記ＩＣタグを前記剥離紙より剥がす際に、前記剥離紙がスリットに沿って切断され、切断された前記剥離紙の一部が前記第２粘着部に粘着されていることを特徴とする請求項７記載のＩＣタグ。
【発明の詳細な説明】
【技術分野】
【０００１】
本発明は、非接触で通信を行うＩＣタグに関し、特に粘着部に貼着した物品を剥がす際に容易に破壊され、読取不能となるＩＣタグに関する。
【背景技術】
【０００２】
ＩＣタグの不正な再利用を防止するため、剥がそうとすると破損するラベル型ＩＣタグが提案されている。
【０００３】
例えば、被着物から剥がそうとすると破壊されるＩＣタグとしては、ＩＣタグの外周部の複数個所に、ＩＣタグの端部と垂直方向に伸びる切れ込みを形成したＩＣタグが開示されている。このＩＣタグを被着物より剥がそうとすると、切れ込みの先端からＩＣタグの中心方向に向かって、基材が破れてアンテナが破断する（例えば、特許文献１参照）。
【０００４】
一方、ＩＣタグの全面に、アンテナを横切るような複数のミシン目を有するＩＣタグが開示されている。アンテナを完全に破断するのではなく、一部が接続されているので、アンテナは使用可能である。一方で、複数のミシン目を有しているので、ＩＣタグを被着物よりはがす際には、アンテナが容易に破断される（例えば、特許文献２参照）。
【０００５】
【特許文献１】特開２００６−１５９８３０号公報
【特許文献２】特開２００６−２９３４６２号公報
【発明の開示】
【発明が解決しようとする課題】
【０００６】
しかしながら、外周部に切れ込みを形成したＩＣタグは、固定対象にＩＣタグを貼付し、そのＩＣタグに高価な物品を貼付し、物品の引き剥がしを検知する場合には、ＩＣタグの破断がおきにくいという問題点があった。また、アンテナを横切るようなミシン目を有する場合、アンテナを完全に破断させずにミシン目を形成することは複雑な工程が必要であり、更にはアンテナ自体にあらかじめ傷があるため、使用前に破損しやすいという問題点があった。
【０００７】
本発明は、前述した問題点に鑑みてなされたもので、その目的とすることは、
固定されたＩＣタグに物品を貼付した際に、物品の引き剥がしを検知することができるＩＣタグを提供することである。
【課題を解決するための手段】
【０００８】
前述した目的を達成するために、第１の発明は、ベースフィルムと、前記ベースフィルム上に配設されたアンテナパターンと、前記アンテナパターンに接続するＩＣチップと、からなるインレットと、前記インレットの片面に設けられた接着層と、前記接着層を介して前記インレットを覆う表面層と、を有するＩＣタグであって、前記アンテナパターン外にスリットが形成されており、前記スリット近傍の前記表面層上に物品を貼付可能な第１粘着部を有することを特徴とするＩＣタグである。
【０００９】
また、前記スリットは前記アンテナパターンに開口部を向けたコの字型であることが好ましく、前記コの字型のスリットの内部に前記第１粘着部を有することが好ましい。
【００１０】
更に、前記第１粘着部は、前記アンテナパターンの一部を覆っていることが好ましい。また、前記第１粘着部に物品を粘着させた際に、前記第１粘着部と前記物品との粘着力が、前記スリットの端部での前記ＩＣタグの引裂強度より強いことが好ましい。
【００１１】
また、前記第１粘着部とは反対面に第２粘着部を有し、前記第２粘着部を介して固定対象に粘着され、前記第２粘着部の前記固定対象に対する粘着力が、前記スリットの端部での前記ＩＣタグの引裂強度より強いことが好ましい。
【００１２】
また、前記第１粘着部とは反対面に第２粘着部を有し、前記インレットに、前記第２粘着部を介して剥離紙を粘着することが好ましい。
【００１３】
なお、前記スリットが、前記表面層、前記接着層、前記ベースフィルム、前記第２粘着部を切断しており、前記ＩＣタグを前記剥離紙より剥がす際に、全ての前記剥離紙が前記ＩＣタグより剥離してもよく、前記スリットが、前記表面層、前記接着層、前記ベースフィルム、前記第２粘着部、前記剥離紙を切断しており、前記ＩＣタグを前記剥離紙より剥がす際に、前記剥離紙がスリットに沿って切断され、切断された前記剥離紙の一部が前記第２粘着部に粘着されていてもよい。
【発明の効果】
【００１４】
本発明により、固定されたＩＣタグに物品を貼付した際に、物品の引き剥がしを検知することができるＩＣタグを提供することができる。
【発明を実施するための最良の形態】
【００１５】
以下図面に基づいて、本発明の実施形態を詳細に説明する。
【００１６】
第１の実施形態に係るＩＣタグ１について説明する。
図１は、ＩＣタグ１の平面図である。ベースフィルム５上にアンテナ７、ＩＣチップ９が設けられ、ＩＣタグ１の表面には第１粘着部１７が形成される。また、ＩＣタグ１には、スリット２５が設けられており、スリット２５は、第１粘着部１７に接着された物品を剥がす際にＩＣタグ１の切断予定線３１に沿って、切断される予定である。なお、本来は表面層５が覆っているために外部からはアンテナ７やＩＣチップ９は観察できないが、図１では表面層５と第１剥離紙１９を省略して描いている。
【００１７】
図２は、図１におけるＡ−Ａ´断面図である。ベースフィルム５には、アンテナ７が配設され、アンテナ７にはＩＣチップ９が取付けられている。ベースフィルム５、アンテナ７、ＩＣチップ９とで、インレット１１を形成している。インレット１１の片面には接着層１３を介して表面層１５が設けられ、表面層１５の上には、更に第１粘着部１７を介して第１剥離紙１９が設けられている。また、インレット１１の他面には、第２粘着部２１を介して第２剥離紙２３が設けられる。また、第１粘着部１７の近傍には、スリット２５が設けられており、スリット２５は表面層１５、接着層１３、ベースフィルム５、第２粘着部２１を切断している。
【００１８】
ベースフィルム５は、樹脂フィルムや紙基材を用いることができる。樹脂フィルムとしては、ポリエチレンテレフタレート、テレフタル酸‐シクロヘキサンジメタノール‐エチレングリコール共重合体、ポリプロピレン、ポリエチレン、ポリカーボネート、ポリアミド、ポリフェニレンサルフイド、ポリ塩化ビニル、塩化ビニル‐酢酸ビニル共重合体、セルロースジアセテート、セルローストリアセテート、ポリスチレン、アクリロニトリル‐ブタジエン‐スチレン共重合体、ポリアクリル酸エステル、ポリウレタンなどの素材が使用される。また、紙基材としては、上質紙、コート紙、クラフト紙、グラシン紙、合成紙、ラテックスやメラミン含浸紙などが使用できる。
【００１９】
アンテナ７は、ベースフィルム５上にパターン形成されたアルミニウムや銅などの金属の膜からなるアンテナである。アンテナ７は、一般的にＩＣタグに用いられるアンテナパターンで有り、例えば、１３．５６ＭＨｚ帯用のコイル型アンテナやＵＨＦ帯用のダイポール型アンテナを用いることができる。アンテナ７は、送信と受信を兼用する。
【００２０】
アンテナ７は、ベースフィルム５に、アルミ粉や銀粉などの粒子を含む導電性のインキを、所望のパターンで印刷する方法により形成することができる。
【００２１】
また、アンテナ７は、ベースフィルム５上にめっきや蒸着、ドライラミネートにより形成した金属膜にレジストパターンを印刷し、更にケミカルエッチングによりエッチングする方法により形成することもできる。
【００２２】
また、アンテナ７は、金属箔をプレス加工により打ち抜き、打ち抜き後の金属箔をベースフィルム５に貼り合わせる方法により形成することもできる。
【００２３】
ＩＣチップ９は、一般的にＩＣタグに用いられるＩＣチップであり、シリコン基板に、制御部、情報記憶のためのメモリ部、無線通信部などの回路が形成されている。
【００２４】
インレット１１は、インターポーザをアンテナ７に取付けて形成してもよいし、アンテナ７にＩＣチップ９を直接取付けて形成してもよい。インターポーザとは、基材の面に金属箔導電層による接続端子を形成し、当該接続端子にＩＣチップ９を装着してなる。また、インレット１１は、表裏どちらでも使用でき、ＩＣチップ９を表面層１５側に向けてもよいし、図２に示すように第２剥離紙２３側に向けてもよい。
【００２５】
接着層１３を構成する接着剤としては、天然ゴム系、ニトリルゴム系、エポキシ樹脂系、酢酸ビニルエマルジョン系、アクリル系、アクリル酸エステル共重合体系、ポリビニルアルコール系、フェノール樹脂系、等の各種材料を使用できる。なお、前記接着剤は、溶剤型や重合型、紫外線硬化型、エマルジョン型、熱溶融型等の各種のものをいい、いわゆる粘着剤型のものをも含むものとする。いずれであっても、双方の材料間を接着すれば目的を達成できるからである。
【００２６】
表面層１５は、ベースフィルム５に用いられる材料と同様の材料を使用できる。表面層１５に文字情報、バーコード、絵柄などを印刷してもよい。
【００２７】
第１粘着部１７及び第２粘着部２１は、ポリアクリル酸エステル、ニトリルゴム、天然ゴム、シリコーン粘着剤、ポリ塩化ビニルなどの各種材料およびそれらの水性エマルジョンを使用することができる。
【００２８】
第１粘着部１７は、表面層１５の上に設けられ、アンテナ７の一部を覆っている。
【００２９】
第１剥離紙１９及び第２剥離紙２３は、特に限定されるものではないが、グラシン紙などが用いられる。
【００３０】
スリット２５は、プレス、ザグリ、切り刃による抜きなどの方法で形成する。スリット２５は、図１に示すように、開口部がアンテナ７を向いたコの字型をしており、コの字型の内側に第１粘着部１７を有する。スリット２５は、コの字型以外に、直線型やかぎ型、半円形上にしてもよい。また、スリット２５は、アンテナ７のコイルの内側に設けることが好ましい。
【００３１】
なお、第２剥離紙２３とベースフィルム５の間に、第２粘着部２１以外の別の層を含んでもよい。例えば、ベースフィルム５と同様の素材の中間層を設けることが考えられる。同様に、表面層１５の上に、更に別の層を形成してもよい。例えば、表面層１５の上に保護用の透明なプラスチックフィルムを形成することが考えられる。
【００３２】
次に、ＩＣタグ１の使用方法を説明する。
まず、ＩＣタグ１から第２剥離紙２３を剥がす。全ての第２剥離紙２３が剥離し、第２剥離紙２３は第２粘着部２１に残らない。
【００３３】
その後、図３に示すように、固定対象２９に、第２粘着部２１を介してＩＣタグ１を貼付する。さらに、第１剥離紙１９を剥がし、第１粘着部１７を介して、物品２７をＩＣタグ１に貼付する。第１粘着部１７と物品２７との粘着力と、第２粘着部２１と固定対象２９との粘着力はＩＣタグ１の引裂強度より強い。また、第１粘着部１７と物品２７との粘着力は、第２粘着部２１と固定対象２９との粘着力より強い。
【００３４】
図４に示すように、物品２７を固定対象２９より剥がす際に、第１粘着部１７の粘着力により、スリット２５とその延長線である切断予定線３１に沿ってＩＣタグ１が裂け、アンテナ７を破断する。アンテナ７を破断すると、ＩＣタグ１は読み取り不能となる。さらに、スリット２５を境にして、ＩＣタグ１の一部は物品２７とともに固定対象２９より剥がされる。
【００３５】
その後、定期的にＩＣタグ１が読み取り可能であるかを確認する。ＩＣタグ１が読み取り可能であれば、物品２７はすりかえられていないことがわかり、ＩＣタグ１が読み取り不可能であれば、物品２７が別のものにすりかえられている可能性がある。
【００３６】
第１の実施の形態によれば、ＩＣタグ１を破壊せずに物品２７を固定対象２９より剥がすことは難しく、物品２７のすり替えを検知することができる。
【００３７】
また、第１の実施の形態によれば、目視によらず、ＩＣタグリーダーでＩＣタグ１が読み取り可能かにより物品２７のすり替えを検知することができる。
【００３８】
次に、第２の実施形態について説明する。
図５は、第２の実施形態にかかる、ＩＣタグ２の断面図である。以下の実施形態で第１の実施形態と同一の様態を果たす要素には同一の番号を付し、重複した説明は避ける。
【００３９】
第２の実施形態に係るＩＣタグ２は、第１の実施形態とは異なり、スリット２５に代えて、スリット３３を有する。スリット３３は、平面図では図１に示すようなスリット２５と同様のコの字型であるが、図５に示すように、スリット３３は、第２剥離紙２３まで切断する。
【００４０】
次に、ＩＣタグ２の使用方法を説明する。
まず、ＩＣタグ２から第２剥離紙２３を剥がす。スリット３３に沿って、第２剥離紙２３の一部が、第２粘着部２１に貼着した状態でコの字型のスリット３３の内側に残っている。
【００４１】
その後、図６に示すように、固定対象２９に、第２粘着部２１を介してＩＣタグ２を貼付する。なお、物品２７の下方には、第２剥離紙２３の一部が第２粘着部２１と固定対象２９の間に残っている。さらに、第１剥離紙１９を剥がして、第１粘着部１７を介して、物品２７をＩＣタグ２に貼付する。
【００４２】
図７に示すように、物品２７を固定対象２９より剥がす際に、第１粘着部１７の粘着力により、スリット３３とその延長線である切断予定線３１に沿ってＩＣタグ２が裂け、アンテナ７を破断する。アンテナ７を破断すると、ＩＣタグ２は読み取り不能となる。さらに、スリット３３を境にして、ＩＣタグ２の一部は物品２７とともに固定対象２９より剥がされる。物品２７の下方のＩＣタグ２と固定対象２９とは、第２粘着部２１と固定対象２９の間に第２剥離紙２３があるため、粘着しておらず、物品２７を除去する際に剥がれやすい。
【００４３】
その後、定期的にＩＣタグ２が読み取り可能であるかを確認する。ＩＣタグ２が読み取り可能であれば、物品２７はすりかえられていないことがわかり、ＩＣタグ２が読み取り不可能であれば、物品２７が別のものにすりかえられている可能性がある。
【００４４】
第２の実施形態によると、第１の実施形態と同様の効果を奏するのに加えて、第２粘着部２１と固定対象２９の間に第２剥離紙２３を有するため、物品２７を固定対象２９より剥がす際に、アンテナ７が破断しやすく、ＩＣタグ２が読み取り不能になりやすい。
【００４５】
以上、添付図面を参照しながら、本発明にかかるＩＣタグの好適な実施形態について説明したが、本発明は係る例に限定されない。当業者であれば、本願で開示した技術的思想の範疇内において、各種の変更例または修正例に想到しえることは明らかであり、それらについても当然に本発明の技術的範囲に属するものと了解される。
【図面の簡単な説明】
【００４６】
【図１】第１の実施の形態に係るＩＣタグ１の平面図。
【図２】第１の実施の形態に係るＩＣタグ１の図１におけるＡ−Ａ´断面図。
【図３】第１の実施の形態に係るＩＣタグ１の使用方法を説明する断面図。
【図４】図３の続きを示す断面図。
【図５】第２の実施の形態に係るＩＣタグ２の断面図。
【図６】第２の実施の形態に係るＩＣタグ２の使用方法を説明する断面図。
【図７】図６の続きを示す断面図。
【符号の説明】
【００４７】
１，２………ＩＣタグ
５………ベースフィルム
７………アンテナ
９………ＩＣチップ
１１………インレット
１３………接着層
１５………表面層
１７………第１粘着部
１９………第１剥離紙
２１………第２粘着部
２３………第２剥離紙
２５………スリット
２７………物品
２９………固定対象
３１………切断予定線
３３………スリット
【図１】
2010128516.tif 000003
【図２】
2010128516.tif 000004
【図３】
2010128516.tif 000005
【図４】
2010128516.tif 000006
【図５】
2010128516.tif 000007
【図６】
2010128516.tif 000008
【図７】
2010128516.tif 000009